(57)【要約】【課題】従来よりも小型化が可能な交換レンズを提供すること。【解決手段】交換レンズ１００は、焦点距離が可変であり、被写体の光学像の有効な結像領域であるイメージサークルの大きさが焦点距離によって異なる光学系１０２を備える。交換レンズ１００には、ズーム環１０８が設けられている。ズーム環１０８には、表示素子１１４が設けられている。表示素子１１４は、交換レンズ１００の焦点距離として、イメージサークルの大きさの値から定まる所定の倍率を光学系１０２の焦点距離に乗じた値である総合焦点距離の値を表示する。【選択図】図１
2014219473.tif 000002
【特許請求の範囲】
【請求項１】
撮像素子を有する撮像装置に着脱される交換レンズであって、
焦点距離が可変であり、被写体の光学像の有効な結像領域であるイメージサークルの大きさが前記焦点距離によって異なる光学系と、
前記焦点距離の値と前記イメージサークルの大きさの値との対応関係を示すデータを記憶するレンズデータ記憶部と、
前記対応関係を示すデータを、前記撮像装置に送るためのレンズインターフェース部と、
前記焦点距離を可変するための操作部材と、
前記操作部材の操作に伴って当該交換レンズの焦点距離の値を表示する表示部と、
を具備し、
前記表示部が表示する当該交換レンズの焦点距離の値は、前記イメージサークルの大きさの値から定まる所定の倍率を前記光学系の焦点距離に乗じた値である総合焦点距離の値であることを特徴とする交換レンズ。
【請求項２】
撮像素子を有する撮像装置に着脱される交換レンズであって、
焦点距離が可変であり、被写体の光学像の有効な結像領域であるイメージサークルの大きさが前記焦点距離によって異なる光学系と、
前記焦点距離の値と前記イメージサークルの大きさの値との対応関係を示すデータを記憶するレンズデータ記憶部と、
前記対応関係を示すデータを、前記撮像装置に送るためのレンズインターフェース部と、
前記焦点距離を可変するための操作部材と、
前記操作部材の操作に伴って当該交換レンズの焦点距離の値を表示する表示部と、
を具備し、
前記撮像装置は、
前記光学系を介して前記撮像素子に結像される前記光学像から画像データを得る撮像部と、
前記レンズインターフェース部から前記対応関係を示すデータを受けるための装置インターフェース部と、
前記装置インターフェース部で受けられた前記対応関係を示すデータに基づいて前記撮像部で得られた画像データのうちの前記イメージサークルに対応した画像データを切り出し、該切り出した画像データに対して前記装置インターフェース部で受けられた前記対応関係を示すデータに基づく倍率の変更処理を施す画像処理部とを具備し、
前記画像処理部は、前記切り出した画像データの画素数を前記焦点距離の値によらない所定の画素数とするように前記変更処理を施す撮像装置であって、
前記表示部が表示する当該交換レンズの焦点距離の値は、当該交換レンズが、前記撮像装置に装着された状態での前記倍率の変更処理における倍率を前記光学系の焦点距離に乗じた値である、総合焦点距離の値であることを特徴とする交換レンズ。
【請求項３】
前記表示部は、前記操作部材の操作に伴って変化する、前記操作部材又は前記操作部材と連動する部材と当該交換レンズの本体との相対的位置関係によって表示値が変化するように設けられた機械的表示部とを有することを特徴とする請求項１又は２に記載の交換レンズ。
【請求項４】
前記表示部は、前記操作部材の操作の検出結果に基づいて算出された前記総合焦点距離の表示値を表示する電気的表示部を有することを特徴とする請求項１又は２に記載の交換レンズ。
【発明の詳細な説明】
【技術分野】
【０００１】
本発明は、交換レンズに関する。
【背景技術】
【０００２】
撮像装置に搭載される光学系の小型化は、撮像装置における大きな課題のうちの一つである。特に、ズーム比の大きな所謂望遠高倍率を実現するための光学系は、原理的に大型化し易いため、可能な限りの小型化が望まれている。
【０００３】
望遠での高倍率を比較的小型なレンズで実現するための手法の一つとして、光学ズームと電子ズームとを組み合わせる手法が知られている（例えば特許文献１）。電子ズームは、撮像素子を介して取り込んだ画像データの一部の領域を切り出し、切り出した領域を必要なズーム比に応じて拡大する処理である。光学ズームと電子ズームとを組み合わせることによって光学ズームの限界を超えた実用上のズーム比を有する画像データを記録することが可能である。
【先行技術文献】
【特許文献】
【０００４】
【特許文献１】特開２００２−３１４８７２号公報
【発明の概要】
【発明が解決しようとする課題】
【０００５】
特許文献１等の従来の技術における光学系は、焦点距離が変化した場合であってもイメージサークルの大きさが一定となるように設計される。ここで、光学系のイメージサークルとは、光学系によって撮像素子に結像される光学像の結像領域のうち、有効な光学像が形成される結像領域のことである。有効な光学像とは、撮像素子に結像される光学像のうち、記録や表示に用いることが可能な（例えば光量の低下が小さい）光学像のことである。
【０００６】
光学系の焦点距離が変化したとしてもイメージサークルの大きさを一定に保つためには、焦点距離が長い場合であっても有効な光学像を撮像素子上に形成できるように光学系を設計する必要がある。この場合、焦点距離が長い場合であっても十分な範囲の光線を通過可能なように光学系を設計する必要があるのでレンズの径が大型化し易い。このように、イメージサークルの大きさを一定に保つ光学系の設計の場合、光学系の小型化には限界がある。
【０００７】
本発明は、前記の事情に鑑みてなされたもので、従来よりも小型化が可能な交換レンズを提供することを目的とする。
【課題を解決するための手段】
【０００８】
前記の目的を達成するために、本発明の第１の態様の交換レンズは、撮像素子を有する撮像装置に着脱される交換レンズであって、焦点距離が可変であり、被写体の光学像の有効な結像領域であるイメージサークルの大きさが前記焦点距離によって異なる光学系と、前記焦点距離の値と前記イメージサークルの大きさの値との対応関係を示すデータを記憶するレンズデータ記憶部と、前記対応関係を示すデータを、前記撮像装置に送るためのレンズインターフェース部と、前記焦点距離を可変するための操作部材と、前記操作部材の操作に伴って当該交換レンズの焦点距離の値を表示する表示部とを具備し、前記表示部が表示する当該交換レンズの焦点距離の値は、前記イメージサークルの大きさの値から定まる所定の倍率を前記光学系の焦点距離に乗じた値である、等価的な総合焦点距離の値であることを特徴とする。
【０００９】
前記の目的を達成するために、本発明の第２の態様の交換レンズは、撮像素子を有する撮像装置に着脱される交換レンズであって、焦点距離が可変であり、被写体の光学像の有効な結像領域であるイメージサークルの大きさが前記焦点距離によって異なる光学系と、前記焦点距離の値と前記イメージサークルの大きさの値との対応関係を示すデータを記憶するレンズデータ記憶部と、前記対応関係を示すデータを、前記撮像装置に送るためのレンズインターフェース部と、前記焦点距離を可変するための操作部材と、前記操作部材の操作に伴って当該交換レンズの焦点距離の値を表示する表示部とを具備し、前記撮像装置は、前記光学系を介して前記撮像素子に結像される前記光学像から画像データを得る撮像部と、前記レンズインターフェース部から前記対応関係を示すデータを受けるための装置インターフェース部と、前記装置インターフェース部で受けられた前記対応関係を示すデータに基づいて前記撮像部で得られた画像データのうちの前記イメージサークルに対応した画像データを切り出し、該切り出した画像データに対して前記装置インターフェース部で受けられた前記対応関係を示すデータに基づく倍率の変更処理を施す画像処理部とを具備し、前記画像処理部は、前記切り出した画像データの画素数を前記焦点距離の値によらずに所定の画素数とするように前記変更処理を施す撮像装置であって、前記表示部が表示する当該交換レンズの焦点距離の値は、当該交換レンズが、前記撮像装置に装着された状態での前記倍率の変更処理における倍率を前記光学系の焦点距離に乗じた値である、等価的な総合焦点距離の値であることを特徴とする。
【発明の効果】
【００１０】
本発明によれば、従来よりも小型化が可能な交換レンズを提供することができる。
【図面の簡単な説明】
【００１１】
【図１】本発明の一実施形態に係る交換レンズを備えた撮像装置の一例としてのデジタルカメラの構成を示す図である。
【図２】焦点距離の変化に伴ってイメージサークルの大きさが変化しないように設計された光学系と焦点距離の変化に伴ってイメージサークルの大きさが変化するように設計された光学系とを比較して示した図である。
【図３】カメラ本体のメイン動作を示すフローチャートである。
【図４】撮影シーケンスの処理を示すフローチャートである。
【図５】切り出し範囲決定処理について示すフローチャートである。
【図６】イメージサークルと切り出し範囲との関係を示す図である。
【図７】焦点距離の値とイメージサークルの大きさの値との対応付けデータの一例を説明するための図である。
【図８】交換レンズの動作を示すフローチャートである。
【図９】表示素子への焦点距離の表示例を示す図である。
【図１０】ズーム環に総合焦点距離の値を刻印した変形例を示す図である。
【発明を実施するための形態】
【００１２】
以下、図面を参照して本発明の実施形態を説明する。図１は、本発明の一実施形態に係る交換レンズを備えた撮像装置の一例としてのデジタルカメラ（以下、単にカメラと言う）の構成を示す図である。図１に示すカメラ１は、交換レンズ１００と、カメラ本体２００とを有している。交換レンズ１００は、カメラ本体２００に対して着脱されるように構成されている。カメラ本体２００に交換レンズ１００が装着された場合に、交換レンズ１００は、カメラ本体２００と通信自在に接続される。これにより、交換レンズ１００は、カメラ本体２００の制御に従って動作可能な状態となる。
【００１３】
交換レンズ１００は、光学系１０２と、レンズ駆動機構１０４と、絞り駆動機構１０６と、ズーム環１０８と、ズーム位置検出部１１０と、表示素子駆動部１１２と、表示素子１１４と、フォーカス環１１６と、フォーカス位置検出部１１８と、レンズ制御部１２０と、レンズマウント接点１２２とを有している。
【００１４】
光学系１０２は、図示しない被写体からの光線を、撮像素子２０６の撮像面上に結像させるための光学系である。この光学系１０２は、撮影レンズ１０２１と、絞り１０２２とを有している。撮影レンズ１０２１は、焦点距離が可変であって、焦点距離の変化に伴ってイメージサークルの大きさを変化させるように設計された単一又は複数のレンズである。より詳しくは、本実施形態の例の撮影レンズ１０２１は、図１の一点鎖線で示す光軸方向に沿って駆動されることによってその焦点距離を変化させるように、また焦点距離が相対的に長くなるほどにイメージサークルが小さくなるように設計されている。絞り１０２２は、開閉自在に構成され、撮影レンズ１０２１を介して撮像素子２０６に入射する光線の量を調整する。
【００１５】
図２は、焦点距離の変化に伴ってイメージサークルの大きさが変化しないように設計された光学系３０２と焦点距離の変化に伴ってイメージサークルの大きさが変化するように設計された光学系１０２とを比較して示した図である。図２（ａ）及び図２（ｂ）は、光学系３０２を示す。図２（ａ）は焦点距離がワイド端相当の状態であり、図２（ｂ）は焦点距離がテレ端相当の状態である。また、図２（ｃ）及び図２（ｄ）は、光学系１０２を示す。図２（ｃ）は焦点距離がワイド端相当の状態であり、図２（ｄ）は焦点距離がテレ端相当の状態である。光学系３０２及び１０２の何れも５群のレンズＧ１〜Ｇ５による構成例を示している。また、絞り３０２２及び１０２２は、５群のレンズＧ１〜Ｇ５の光路中に配置される。ここで、光学系を構成するレンズ群の数は一例である。
【００１６】
光学系３０２と光学系１０２は、主に第１群レンズＧ１を被写体側（図面左側）に繰り出すことによって焦点距離を長くすることが可能である。その他のレンズ群は、主に収差の補正や焦点の補正に用いられる。
【００１７】
焦点距離の変化に伴ってイメージサークルの大きさが変化しないように光学系を設計するためには、ワイド端相当位置で撮像素子２０６に結像される光線よりも広い範囲からの光線をテレ端相当位置で結像させる必要がある。図２（ｂ）の例において、図２（ａ）と同じ像高を維持するためには、第１群レンズＧ１の領域Ａからも光線を通過させる必要がある。したがって、第１群レンズＧ１の径を少なくともｄ１以上とする必要がある。一方、焦点距離の変化に伴ってイメージサークルの大きさが変化するように光学系を設計する場合、第１群レンズＧ１の領域Ａから光線を通過させる必要がなくなるので第１群レンズＧ１の径をｄ１よりも短いｄ２として良い。このため、光学系の小型化を図ることが可能である。また、図２（ｄ）に示すように、第１群レンズＧ１の繰り出し量を図２（ｂ）の例よりも小さくすることができるので、結果として、光学系１０２を収納する交換レンズ１００の本体である鏡筒の長さを短くすることができる。
【００１８】
レンズ駆動機構１０４は、モータ及びその駆動回路等を有している。このレンズ駆動機構１０４は、レンズ制御部１２０の制御に従って、撮影レンズ１０２１をその光軸方向（図示一点鎖線方向）に駆動させる。絞り駆動機構１０６は、絞り１０２２を駆動するための駆動機構を有している。この絞り駆動機構１０６は、レンズ制御部１２０の制御に従って絞り１０２２を駆動させる。
【００１９】
ズーム環１０８は、交換レンズ１００の本体である鏡筒の外周に沿って回転自在に設けられたズーム操作用の操作部材である。ズーム位置検出部１１０は、ズーム環１０８の操作量を検出するように構成された例えばエンコーダである。このズーム位置検出部１１０は、ズーム環１０８の操作量を、光学系１０２の焦点距離（ズーム位置）の情報としてレンズ制御部１２０に入力する。
【００２０】
表示素子駆動部１１２は、レンズ制御部１２０から入力された交換レンズ１００の総合焦点距離表示のための画像データに基づいて表示素子１１４を駆動させる。表示素子１１４は、例えば液晶ディスプレイ（ＬＣＤ）のような電気的表示部であって、ズーム環１０８上に形成されている。この表示素子１１４は、交換レンズ１００の焦点距離を表示する。
【００２１】
フォーカス環１１６は、交換レンズ１００の本体である鏡筒の外周に沿って回転自在に設けられたフォーカス操作用の操作部材である。フォーカス位置検出部１１８は、フォーカス環１１６の操作量を検出するように構成された例えばエンコーダである。このフォーカス位置検出部１１８は、フォーカス環１１６の操作量を、撮影レンズ１０２１のフォーカス位置の情報としてレンズ制御部１２０に入力する。
【００２２】
レンズ制御部１２０は、レンズマウント接点１２２及び本体マウント接点２２４を介してカメラ本体２００の本体制御部２２２と通信自在に接続される。このレンズ制御部１２０は、本体制御部２２２からの入力、ズーム位置検出部１１０からの入力、フォーカス位置検出部１１８からの入力に従って、レンズ駆動機構１０４及び絞り駆動機構１０６を制御する。また、レンズ制御部１２０は、例えばフラッシュメモリであるレンズデータ記憶部１２０１を有している。レンズデータ記憶部１２０１は、光学系１０２の収差特性等のレンズデータを記憶している。また、レンズデータ記憶部１２０１は、光学系１０２の焦点距離の値とイメージサークルの大きさ（例えば直径）の値との対応付けテーブルデータを記憶している。この対応付けテーブルデータの詳細については後で説明する。
【００２３】
レンズマウント接点１２２は、交換レンズ１００のマウント部に設けられた接点である。このレンズマウント接点１２２は、交換レンズ１００がカメラ本体２００に装着された際に本体マウント接点２２４と電気的に接続され、交換レンズ１００とカメラ本体２００とが通信するためのレンズインターフェース部として機能する。
【００２４】
カメラ本体２００は、シャッタ２０２と、シャッタ駆動機構２０４と、撮像素子２０６と、撮像素子インターフェース（ＩＦ）部２０８と、ＲＡＭ２１０と、ＲＯＭ２１２と、表示素子駆動部２１４と、表示素子２１６と、記録メディア２１８と、操作部２２０と、本体制御部２２２と、本体マウント接点２２４とを有している。
【００２５】
シャッタ２０２は、撮像素子２０６の撮像面を遮光状態又は露光状態とするように構成されている。このシャッタ２０２により、撮像素子２０６の露光時間が調整される。シャッタ駆動機構２０４は、シャッタ２０２を駆動させるための駆動機構を有し、本体制御部２２２の制御に従ってシャッタ２０２を駆動させる。
【００２６】
撮像素子２０６は、光学系１０２を介して集光された被写体からの光線が結像される撮像面を有している。撮像素子２０６の撮像面は、２次元状に配置された複数の画素を有している。また、撮像面の光入射側には、カラーフィルタが設けられている。このような撮像素子２０６は、撮像面に結像された光線に対応した像（被写体像）を、その光量に応じた電気信号（以下、画像信号という）に変換する。
【００２７】
撮像素子２０６とともに撮像部として機能する撮像素子ＩＦ部２０８は、本体制御部２２２の制御に従って撮像素子２０６を駆動させる。また、撮像素子ＩＦ部２０８は、本体制御部２２２の制御に従って撮像素子２０６で得られた画像信号を読み出し、読み出した画像信号に対してＣＤＳ（相関二重サンプリング）処理やＡＧＣ（自動利得制御）処理等のアナログ処理を施す。さらに、撮像素子ＩＦ部２０８は、アナログ処理した画像信号をデジタル信号（以下、画像データという）に変換する。
【００２８】
ＲＡＭ２１０は、例えばＳＤＲＡＭであり、ワークエリア及び画像エリアを記憶エリアとして有している。ワークエリアは、カメラ本体２００の各部で発生した各種の演算データを一時記憶しておくためにＲＡＭ２１０に設けられた記憶エリアである。画像エリアは、撮像素子ＩＦ部２０８で得られた画像データや画像処理中の画像データ等のカメラ本体２００の各部で発生した画像データを一時記憶しておくためにＲＡＭ２１０に設けられた記憶エリアである。
【００２９】
ＲＯＭ２１２は、例えばフラッシュメモリであり、本体制御部２２２のＣＰＵ２２２１が種々の処理を実行するためのプログラムコードを記憶している。また、ＲＯＭ２１２は、撮像素子２０６等の動作に必要な制御パラメータ及び本体制御部２２２に含まれる画像処理回路２２２４での画像処理に必要な制御パラメータ等の、各種の制御パラメータを記憶している。
【００３０】
表示素子駆動部２１４は、本体制御部２２２から入力された画像データに基づいて表示素子２１６を駆動させる。表示素子２１６は、例えば液晶ディスプレイ（ＬＣＤ）であり、ライブビュー用の画像及び記録メディア２１８に記録された画像等の各種の画像を表示する。
【００３１】
記録メディア２１８は、例えばメモリカードであり、撮影動作によって得られた画像ファイルを記録する。画像ファイルは、画像データに所定のヘッダを付与して構成されるファイルである。ヘッダには、撮影条件を示すデータ等が、タグデータとして記録される。
【００３２】
操作部２２０は、ユーザがカメラ本体２００の各種の操作を行うための複数の操作部材を有している。操作部材としては、レリーズボタン、メニューボタン、電源ボタン等が含まれる。
【００３３】
レリーズボタンは、ユーザがカメラ本体２００に対して静止画撮影開始の指示をするための操作部材である。このレリーズボタンは、半押しされることによって１ｓｔレリーズスイッチがオンして自動露出（ＡＥ）処理及び自動合焦（ＡＦ）処理の指示を本体制御部２２２に対して与え、全押しされることによって２ｎｄレリーズスイッチがオンして撮影（静止画記録）動作の指示を本体制御部２２２に対して与える。メニューボタンは、カメラ本体２００の各種のモードを設定するためのメニュー画面の表示を指示するための操作部材である。ユーザは、メニュー画面上でカメラ本体２００に関する各種の設定を行うことができる。この各種の設定としては、記録画素数の設定が含まれる。記録画素数は、記録メディア２１８に記録する画像データの画素数である。電源ボタンは、ユーザがカメラ本体２００に対して電源のオン又はオフを指示するための操作部材である。
【００３４】
本体制御部２２２は、カメラ本体２００の動作を制御するための制御回路として、ＣＰＵ２２２１と、ＡＦ制御部２２２２と、ＡＥ制御部２２２３と、画像処理回路２２２４と、メモリ制御回路２２２５と、通信制御部２２２６とを有している。
【００３５】
ＣＰＵ２２２１は、シャッタ駆動機構２０４と、撮像素子ＩＦ部２０８と、表示素子駆動部２１４といった本体制御部２２２の外部の各ブロック、レンズ制御部１２０、及び本体制御部２２２の各制御回路の動作を制御する制御部である。
【００３６】
ＡＦ制御部２２２２は、ＡＦ処理を制御する。ＡＦ処理は、例えばコントラストＡＦ処理である。コントラストＡＦ処理として、ＡＦ制御部２２２２は、撮像素子ＩＦ部２０８で得られた画像データの高周波成分を抽出し、この抽出した高周波成分を積算することにより、ＡＦ用の合焦評価値をＡＦエリア毎に取得する。ＣＰＵ２２２１は、この合焦評価値に従って画像データのコントラストを評価しつつ、レンズ制御部１２０を制御して撮影レンズ１０２１を合焦状態とする。
【００３７】
ＡＥ制御部２２２３は、ＡＥ処理を制御する。ＡＥ処理において、ＡＥ制御部２２２３は、撮像素子ＩＦ部２０８で得られた画像データを用いて被写体輝度を算出する。ＣＰＵ２２２１は、この被写体輝度に従って、露光時の絞り１０２２の開口量（絞り値）、シャッタ２０２の開放時間（シャッタ速度値）、撮像素子２０６の感度等を算出する。
【００３８】
画像処理回路２２２４は、画像データに対する各種の画像処理を行う。この画像処理としては、色補正処理、ガンマ補正処理、圧縮処理等が含まれる。また、画像処理回路２２２４は、圧縮されている画像データに対する伸張処理も施す。さらに、本実施形態における画像処理回路２２２４は、画像処理として電子ズーム処理を行う。電子ズーム処理は、画像データの全体又は一部を切り出し、切り出した画像データを定められた倍率に従って拡大又は縮小する処理である。この倍率変更（拡大又は縮小）の手法は、例えばバイリニア法やバイキュービック法が知られているが、特に限定されるものではない。さらに、画像処理回路２２２４は、電子ズーム処理における拡大の際に超解像処理を行えるものであることがより望ましい。超解像処理とは、画像の局所的な類似性を利用することにより、本来の画像には存在しない周波数成分を含む拡大画像を生成する処理である。超解像処理の詳細についてはここでは説明を省略する。
【００３９】
メモリ制御回路２２２５は、ＣＰＵ２２２１等が、ＲＡＭ２１０、ＲＯＭ２１２、記録メディア２１８にアクセスする際の制御を行う。通信制御部２２２６は、本体制御部２２２のＣＰＵ２２２１等が、レンズ制御部１２０と通信する際の制御を行う。
【００４０】
本体マウント接点２２４は、カメラ本体２００のマウント部に設けられた接点である。この本体マウント接点２２４は、交換レンズ１００がカメラ本体２００に装着された際にレンズマウント接点１２２と電気的に接続され、交換レンズ１００とカメラ本体２００とが通信するための装置インターフェース部として機能する。
【００４１】
次に、本実施形態に係るカメラ１の動作について説明する。まず、カメラ本体２００の動作について説明する。図３は、カメラ本体２００のメイン動作を示すフローチャートである。カメラ本体２００の電源がオンされると、図３のフローチャートの処理が開始される。このとき、ＣＰＵ２２２１は、ＲＯＭ２１２から必要なプログラムコードを読み込んで図３の動作を制御する。
【００４２】
Ｓ１において、ＣＰＵ２２２１は、カメラ本体２００の初期化処理を行う。初期化処理として、ＣＰＵ２２２１は、自身が有するレジスタに設定されるデータ等のリセットを行う。この他、ＣＰＵ２２２１は、ＲＡＭ２１０のデータをリセットする等の処理も行う。
【００４３】
Ｓ２において、ＣＰＵ２２２１は、現在、交換レンズ１００が装着されているか否かを判定する。例えば、本体マウント接点２２４を介しての通信を試みたときに、交換レンズ１００からの応答があった場合には、交換レンズ１００が装着されたと判定される。この他、機械的なスイッチによって装着の有無を判定するようにしても良い。この場合、ＣＰＵ２２２１は、スイッチのオンオフ状態に従って交換レンズ１００が装着されたか否かを判定する。
【００４４】
Ｓ２において、交換レンズ１００が装着されていないと判定した場合に、ＣＰＵ２２２１は、処理を待機する。Ｓ２において、交換レンズ１００が装着されたと判定した場合に、Ｓ３において、ＣＰＵ２２２１は、交換レンズ１００との初期通信を行う。この初期通信において、ＣＰＵ２２２１は、レンズ制御部１２０に対してレンズデータの送信を要求する。交換レンズ１００からレンズデータが送信されてきた場合、ＣＰＵ２２２１は、レンズデータを例えばＲＡＭ２１０のワークエリアに記憶させる。
【００４５】
Ｓ４において、ＣＰＵ２２２１は、撮影シーケンスの処理を行う。この撮影シーケンスの処理については後で詳しく説明する。撮影シーケンスの後、Ｓ５において、ＣＰＵ２２２１は、カメラ１の電源がオフされたか否かを判定する。Ｓ５において、カメラ１の電源がオフされていないと判定した場合、ＣＰＵ２２２１は、処理をＳ４に戻して撮影シーケンスの処理を継続する。Ｓ５において、カメラ１の電源がオフされたと判定した場合に、ＣＰＵ２２２１は、図３の処理を終了させる。
【００４６】
図４は、撮影シーケンスの処理を示すフローチャートである。撮影シーケンスの処理が開始されると、Ｓ１０１において、ＣＰＵ２２２１は、ライブビュー動作を開始させる。ライブビュー動作として、ＣＰＵ２２２１は、撮像素子ＩＦ部２０８を制御して撮像素子２０６による撮像を開始させる。その後、ＣＰＵ２２２１は、表示素子駆動部２１４を制御して撮像素子２０６による撮像の結果として得られた画像データに基づく画像を表示素子２１６に表示させる。
【００４７】
Ｓ１０２において、ＣＰＵ２２２１は、交換レンズ１００との通信を行う。この通信において、ＣＰＵ２２２１は、レンズ制御部１２０に対して焦点距離（ズーム位置）の送信を要求する。この送信の要求を受けて、レンズ制御部１２０は、ズーム位置検出部１１０で検出されるズーム環１０８の操作量から算出される撮影レンズ１０２１（光学系１０２）の焦点距離の情報をカメラ本体２００に送出する。カメラ本体２００で受けられた焦点距離の情報は、例えばＲＡＭ２１０のワークエリアに記憶される。
【００４８】
Ｓ１０３において、ＣＰＵ２２２１は、切り出し範囲決定処理を行う。前述したように、本実施形態においては、光学系１０２の焦点距離が相対的に長くなるほどにイメージサークルが小さくなる。通常、イメージサークルが小さくなると撮像素子２０６上の有効画素とみなせる領域が小さくなる。本実施形態においては、イメージサークルが小さくなることによる有効画素の減少を、電子ズーム処理を用いることによって補正する。切り出し範囲決定処理は、このような電子ズーム処理のための切り出し範囲を決定する処理である。切り出し範囲決定処理の詳細については後で説明する。
【００４９】
切り出し範囲決定処理の後、Ｓ１０４において、ＣＰＵ２２２１は、メニュー設定処理を行う。メニュー設定処理において、ＣＰＵ２２２１は、ユーザによってメニューボタンが操作されたときに表示素子駆動部２１４を制御して表示素子２１６にメニュー画面を表示させる。ユーザは、メニュー画面上でカメラ本体２００に関する各種の設定を行う。ユーザによるメニュー設定の操作を受けて、ＣＰＵ２２２１は、画像データの記録画素数等を設定する。
【００５０】
Ｓ１０５において、ＣＰＵ２２２１は、１ｓｔレリーズスイッチがオンされたか否かを判定する。Ｓ１０５において、１ｓｔレリーズスイッチがオンされていないと判定した場合に、ＣＰＵ２２２１は、処理をＳ１１２に移行させる。Ｓ１０５において、１ｓｔレリーズスイッチがオンされたと判定した場合に、Ｓ１０６において、ＣＰＵ２２２１は、ＡＥ処理及びＡＦ処理を行う。
【００５１】
Ｓ１０７において、ＣＰＵ２２２１は、２ｎｄレリーズスイッチがオンされたか否かを判定する。Ｓ１０７において、２ｎｄレリーズスイッチがオンされていないと判定した場合に、ＣＰＵ２２２１は、処理をＳ１１２に移行させる。Ｓ１０７において、２ｎｄレリーズスイッチがオンされたと判定した場合に、Ｓ１０８において、ＣＰＵ２２２１は、記録用の撮像処理を行う。この際、ＣＰＵ２２２１は、シャッタ駆動機構２０４を制御して、シャッタ２０２を閉じる。その後、ＣＰＵ２２２１は、レンズ制御部１２０を制御することによって、絞り１０２２をＡＥ処理時に算出した絞り値まで絞り込む。続いて、ＣＰＵ２２２１は、シャッタ駆動機構２０４を制御して、シャッタ２０２をＡＥ処理時に算出した開放時間だけ開放しつつ、撮像素子２０６による撮像（露光）を行う。
【００５２】
Ｓ１０９において、ＣＰＵ２２２１は、画像処理回路２２２４に画像データの切り出し処理を実行させる。これを受けて画像処理回路２２２４は、ＲＡＭ２１０の画像エリアに記憶されている画像データのうち、Ｓ１０３で決定された切り出し範囲の画像データを切り出す。
【００５３】
Ｓ１１０において、画像処理回路２２２４は、切り出した画像データに対して電子ズーム処理を施す。電子ズーム処理の詳細は後で説明する。電子ズーム処理の後、Ｓ１１１において、ＣＰＵ２２２１は、画像データの記録処理を行う。その後、ＣＰＵ２２２１は、図４の処理を終了させる。例えば、静止画の記録処理において、ＣＰＵ２２２１は、電子ズーム処理の結果としてＲＡＭ２１０の画像エリアに記憶されている画像データに対する画像処理を画像処理回路２２２４に実行させる。これを受けて、画像処理回路２２２４は、ＲＡＭ２１０の画像エリアに記憶されている画像データを取得し、取得した画像データに対する画像処理（色補正処理、ガンマ補正処理、圧縮処理等）を施す。その後、ＣＰＵ２２２１は、画像処理回路２２２４において処理された画像データにヘッダを付与して画像ファイルを生成し、生成した画像ファイルを記録メディア２１８に記録する。
【００５４】
Ｓ１１２において、ＣＰＵ２２２１は、撮像素子２０６によるライブビュー更新用の撮像処理を行う。Ｓ１１３において、ＣＰＵ２２２１は、画像処理回路２２２４に画像データの切り出し処理を実行させる。これを受けて画像処理回路２２２４は、ＲＡＭ２１０の画像エリアに記憶されている画像データのうち、Ｓ１０３で決定された切り出し範囲の画像データを切り出す。
【００５５】
Ｓ１１４において、画像処理回路２２２４は、切り出した画像データに対して電子ズーム処理を施す。電子ズーム処理の詳細は後で説明する。電子ズーム処理の後、Ｓ１１５において、ＣＰＵ２２２１は、ライブビューを更新する。その後、ＣＰＵ２２２１は、処理をＳ１０２に戻す。
【００５６】
次に、切り出し範囲決定処理について説明する。図５は、切り出し範囲決定処理について示すフローチャートである。切り出し範囲決定処理が開始されると、Ｓ２０１において、ＣＰＵ２２２１は、レンズ通信の結果としてＲＡＭ２１０に記憶されている焦点距離（ズーム位置）の情報を取得する。
【００５７】
Ｓ２０２において、ＣＰＵ２２２１は、レンズ通信によって取得したテーブルデータを参照して焦点距離に応じたイメージサークルの大きさのデータを取得する。図６は、本実施形態におけるイメージサークルと切り出し範囲との関係を示す図である。イメージサークルが変化する場合、撮像素子２０６中の有効画素とみなせる領域（以下、有効画素領域と言う）の大きさが変化する。図６においては、ワイド端相当の焦点距離のときのイメージサークルがＩＣＷで示されている。イメージサークルＩＣＷに対応した有効画素領域は、イメージサークルＩＣＷに内接する範囲ＩＭＷ（例えば、撮像素子２０６の全有効画素領域（画面サイズ）と一致）である。また、ワイド端相当よりも長い焦点距離ｆｎにおけるイメージサークルＩＣｎは、イメージサークルＩＭＷよりも小さくなる。したがって、イメージサークルＩＣｎに対応した有効画素領域は、有効画素領域ＩＭＷよりも狭い範囲ＩＭｎである。
【００５８】
有効画素領域の範囲の画像データを切り出せば、切り出し後の画像データを有効画素の画像データとみなして扱うことができる。本実施形態では、イメージサークルの大きさに応じて切り出すべき画像データの範囲が異なるので、光学系１０２の焦点距離の値とイメージサークルの大きさの値とを対応付けたデータを交換レンズ１００に記憶させておく。そして、この対応付けデータに応じて必要な切り出し範囲の画像データを切り出す。
【００５９】
図７は、焦点距離の値とイメージサークルの大きさの値との対応付けデータの一例を説明するための図である。ここで、図７の横軸ｆｎは、焦点距離である。また、図７の縦軸Ｉｎは、イメージサークルの大きさ（例えば直径）である。図７で示す対応付けデータは、焦点距離ｆｎの変化に対してイメージサークルの大きさが直線的に小さくなるように撮影レンズ１０２１を設計した場合の例である。図７の直線式は、以下の（式１）で表わされる。  
【数１】
2014219473.tif 000003
図７の例では、テレ端相当の焦点距離ｆＴのときに、イメージサークルの直径がワイド端相当のイメージサークルの直径Ｉａの０．７倍になる。したがって、イメージサークルの面積は、ワイド端相当のイメージサークルの約１/２倍になる。
【００６０】
図７で示した直線状の点の座標値（ｆｎ，Ｉｎ）（ｎ＝Ｗ，１，２、３、Ｔ）が、焦点距離とイメージサークルの大きさとの対応付けテーブルデータとしてレンズデータ記憶部１２０１に記憶される。ここで、対応付けテーブルデータは、撮影レンズ１０２１が取り得る全ての焦点距離に対応した値を記憶させておくようにして良い。また、一部の焦点距離に対応した値のみを記憶させても良い。一部の焦点距離に対応した値のみを記憶させた場合には、直線補間によって必要な焦点距離に対応したイメージサークルの大きさが算出される。この場合において、撮影レンズ１０２１の駆動可能な焦点距離範囲外の焦点距離に対応したイメージサークルの大きさが算出されても良い。
【００６１】
さらに、図７は、焦点距離ｆｎの変化に対してイメージサークルの大きさＩｎが直線的に小さくなるように撮影レンズ１０２１を設計した例を示している。しかしながら、焦点距離ｆｎとイメージサークルの大きさＩｎとの関係は必ずしも直線関係でなくて良い。例えば、ワイド端相当からある一定の焦点距離までは、イメージサークルの大きさ＝ＩＷを維持させるように撮影レンズ１０２１が設計されても良い。これは、撮像素子２０６の全有効画素領域（画面サイズ）に対してワイド端相当のイメージサークルの大きさをなるべく広い焦点距離範囲にわたって確保するように撮影レンズ１０２１を設計した場合に対応する。
【００６２】
Ｓ２０３において、ＣＰＵ２２２１は、取得したイメージサークルの直径のデータに応じて切り出し範囲を決定する。前述したように、切り出し範囲は、イメージサークルの大きさＩｎに応じて決定される。例えば、撮像素子２０６の撮像中心と撮影レンズ１０２１の光軸（図６のＯとする）とが一致していると仮定した場合、撮像中心を対角中心として水平画素数Ｐｈｎ及び垂直画素数Ｐｖｎを有する矩形範囲が切り出し範囲として決定される。Ｐｈｎ及びＰｖｎはそれぞれ以下の（式２）によって求められる。  
Ｐｈｎ＝Ｐｈ０・（Ｉｎ/ＩＷ）  
Ｐｖｎ＝Ｐｖ０・（Ｉｎ/ＩＷ）                            （式２）
（式２）のＰｈ０は、ワイド端相当の焦点距離ｆＷに対応した切り出し範囲ＩＭＷの水平画素数である。また、（式２）のＰｖ０は、ワイド端相当の焦点距離ｆＷに対応した切り出し範囲ＩＭＷの垂直画素数である。さらに、（Ｉｎ/ＩＷ）は、ワイド端相当のイメージサークルの大きさを基準としたイメージサークルの大きさの相対値である。以下、この相対値をサークル径倍率ｍｎと言う。また、Ｐｈｎ及びＰｖｎとＰｈ０及びＰｖ０との関係は、図６に示されている。
【００６３】
ここで、（式２）は、イメージサークルに内接する矩形範囲を切り出し範囲とする場合の切り出し範囲の算出式を示している。しかしながら、切り出し範囲は、必ずしも焦点距離によって定まるイメージサークルに内接していなくても良く、焦点距離によって定まるイメージサークルよりも狭い範囲であれば良い。すなわち、ある焦点距離ｆｎのときの切り出し範囲が図６の切り出し範囲Ｉｎよりも狭くても良い。さらには、イメージサークルの大きさに対する切り出し範囲の大きさの割合を変えるように切り出し範囲が決定されても良い。
【００６４】
次に、電子ズーム処理について説明する。前述したように、イメージサークルが小さくなると有効画素領域が狭くなる。Ｓ１１０及びＳ１１５の電子ズーム処理は、切り出し後の画像データの画素数を、撮像素子２０６の全有効画素数（画面サイズ）に合わせるために行われる。例えば、ある焦点距離ｆｎに対応した切り出し範囲ＩＭｎの画像データに対しては、当該画像データの水平・垂直を所定の倍率α０＝１/ｍｎ倍に拡大する電子ズーム処理が行われる。なお、電子ズーム処理の際には、超解像処理を併せて行うことが望ましい。特に、焦点距離が長い場合には、電子ズーム処理に用いることができる画素の数が相対的に少なくなるので、超解像処理を用いることが有効である。
【００６５】
以上のような電子ズーム処理により、光学系３０２における焦点距離ｆｎ相当の画像データが得られる。このような電子ズーム処理を考慮した焦点距離を総合焦点距離と言うこととする。総合焦点距離は、イメージサークルの大きさの値から定まるサークル径倍率を光学系１０２の焦点距離に乗じた値である、等価的な焦点距離の値である。
【００６６】
また、本実施形態の撮像装置は、様々な記録画素数を選択できるように構成されている。このため、記録画素数が切り出し範囲ＩＭＷの画素数よりも多い場合には、電子ズーム処理後の画像データをさらに拡大する処理が行われる。逆に、記録画素数が切り出し範囲ＩＭＷの画素数よりも少ない場合には、電子ズーム処理後の画像データを縮小する処理が行われる。記録画素数が切り出し範囲ＩＭＷの画素数と一致していない場合の拡大又は縮小処理の倍率α１は、以下の（式３）によって求められる。  
α１＝（Ｐｈ１/Ｐｈ０）                              （式３）
（式３）のＰｈ１は、ユーザによって設定された水平方向の記録画素数である。
【００６７】
次に、交換レンズ１００側の処理について説明する。図８は、交換レンズ１００の処理を示すフローチャートである。交換レンズ１００がカメラ本体２００に装着されると、カメラ本体２００から交換レンズ１００に電源が供給される。このとき、レンズ制御部１２０は、図８の動作を制御する。
【００６８】
Ｓ３０１において、レンズ制御部１２０は、交換レンズ１００の初期化処理を行う。初期化処理として、レンズ制御部１２０は、自身が有するレジスタに設定されるデータ等のリセットを行う。この他、レンズ制御部１２０は、光学系１０２を構成する各レンズを初期位置に移動させる等の処理も行う。
【００６９】
Ｓ３０２において、レンズ制御部１２０は、カメラ本体２００との初期通信を行う。この初期通信において、レンズ制御部１２０は、カメラ本体２００のＣＰＵ２２２１からのレンズデータの送信要求を受けて、レンズ制御部１２０は、レンズデータ記憶部１２０１からレンズデータを読み出してカメラ本体２００に送出する。また、この初期通信により、レンズ制御部１２０は、焦点距離によってイメージサークルの大きさが変化する交換レンズ（交換レンズ１００）にカメラ本体２００が対応しているか否かを識別する。
【００７０】
Ｓ３０３において、レンズ制御部１２０は、ズーム環１０８又はフォーカス環１１６の操作がなされたか否かを判定する。ズーム環１０８が操作されたことは、ズーム位置検出部１１０の出力変化があったことを検出することによって判定される。また、フォーカス環１１６が操作されたことは、フォーカス位置検出部１１８の出力変化があったことを検出することによって判定される。
【００７１】
Ｓ３０３において、ズーム環１０８又はフォーカス環１１６の操作がなされていないと判定した場合に、レンズ制御部１２０は、Ｓ３０４の処理をスキップする。Ｓ３０３において、ズーム環１０８又はフォーカス環１１６の操作がなされていると判定した場合に、Ｓ３０４において、レンズ制御部１２０は、ズーム環１０８又はフォーカス環１１６の操作に応じた動作を行う。ズーム環１０８が操作されていると判定した場合、レンズ制御部１２０は、レンズ駆動機構１０４を制御して光学系１０２の焦点距離を変更する。また、フォーカス環１１６が操作されていると判定した場合、レンズ制御部１２０は、レンズ駆動機構１０４を制御して光学系１０２の焦点を変更する。
【００７２】
Ｓ３０５において、レンズ制御部１２０は、表示素子駆動部１１２を制御して、現在の交換レンズ１００の焦点距離を表示素子１１４に表示させる。図９は、表示素子１１４への焦点距離の表示例を示す図である。
【００７３】
図９（ａ）は、焦点距離によってイメージサークルの大きさが変化する交換レンズ（交換レンズ１００）にカメラ本体２００が対応している場合の表示例である。焦点距離によってイメージサークルの大きさが変化する交換レンズ（交換レンズ１００）にカメラ本体２００が対応している場合、総合焦点距離（ｆｎ/ｍｎ）の表示値が表示素子１１４に表示される。表示素子１１４は、ズーム環１０８と一体的に構成されている。図９（ａ）では、交換レンズ１００が取り得る総合焦点距離の表示値として、４０ｍｍ、７０ｍｍ、１５０ｍｍの３つが例示されている。このうちの４０ｍｍがワイド端相当の総合焦点距離を示す表示値である。また、現在の総合焦点距離は、ズーム指標１０８１によって示される。ズーム指標１０８１は、交換レンズ１００の本体に形成されている。このような構成において、ズーム環１０８の回転操作に伴い表示素子１１４が回転すると表示素子１１４の回転位置とズーム指標１０８１の位置との相対的な位置関係が変化する。このため、ズーム指標１０８１によって示される現在の総合焦点距離を示す表示値が変化する。焦点距離によってイメージサークルの大きさが変化する交換レンズ（交換レンズ１００）にカメラ本体２００が対応している場合、前述した電子ズーム処理が行われる。したがって、総合焦点距離を表示させることにより、ユーザは、焦点距離によってイメージサークルの大きさが変化しない交換レンズと同じ使用感を得ることができる。
【００７４】
図９（ｂ）は、焦点距離によってイメージサークルの大きさが変化する交換レンズ（交換レンズ１００）にカメラ本体２００が対応していない場合の表示例である。焦点距離によってイメージサークルの大きさが変化する交換レンズ（交換レンズ１００）にカメラ本体２００が対応していない場合、光学系１０２の焦点距離ｆｎが表示素子１１４に表示される。図９（ｂ）では、交換レンズ１００が取り得る焦点距離として、４０ｍｍ、６０ｍｍ、１０５ｍｍが例示されている。ワイド端相当の焦点距離は、図９（ａ）と同じ４０ｍｍである。これは、ワイド端ではサークル径倍率が１になるためである。一方、その他の焦点距離は、図９（ｂ）よりも短くなる。
【００７５】
図９は、表示素子１１４に焦点距離を表示させる例を示している。焦点距離は、必ずしも表示素子１１４を用いて表示される必要はない。例えば、図１０に示すように、総合焦点距離の数値がズーム環１０８に刻印されているような構成でも良い。あるいはズーム指標１０８１によって表示値を指し示す構成とせず、単に現在の総合焦点距離の数値を表示素子１１４の所定箇所に表示する構成でも良い。また、図９、図１０の例は、ズーム指標１０８１が交換レンズ１００の本体に固定的に形成されているから、機構が単純になるという利点を有しているが、これに限られることなくズーム環１０８と連動する機構を介して移動するズーム指標１０８１によって表示値を指し示すような構成でも良い。
【００７６】
また、切り出し範囲は、焦点距離によって定まるイメージサークルに内接している範囲でない場合、電子ズーム処理の際にはα０＝１/ｍｎよりも大きな倍率α１での拡大処理が行われる。この場合、総合焦点距離としては、ｆｎ/ｍｎではなく、ｆｎ・α１が用いられることが望ましい。
【００７７】
ここで、図８の説明に戻る。Ｓ３０６において、レンズ制御部１２０は、カメラ本体２００と通信を行う。そして、Ｓ３０７において通信によりカメラ本体２００からコマンドを受けたか否かを判定する。コマンドは、例えば光学系１０２の焦点調節のためのレンズ駆動コマンドである。Ｓ３０７において、コマンドを受けていないと判定した場合に、レンズ制御部１２０は、Ｓ３０８の処理をスキップする。Ｓ３０７において、コマンドを受けたと判定した場合に、Ｓ３０８において、レンズ制御部１２０は、コマンドの内容に応じた動作を実行する。例えば、レンズ駆動コマンドを受けた場合に、レンズ制御部１２０は、レンズ駆動機構１０４を制御して、撮影レンズ１０２１のレンズ駆動を行う。
【００７８】
Ｓ３０９において、レンズ制御部１２０は、電源オフされたか否かを判定する。例えば、カメラ本体２００の電源がオフされた場合や交換レンズ１００がカメラ本体２００から取り外された場合には、電源がオフされたと判定される。Ｓ３０９において、電源がオフされていないと判定した場合に、レンズ制御部１２０は、処理をＳ３０３に戻す。一方、Ｓ３０９において、電源がオフされたと判定した場合に、レンズ制御部１２０は、図８の処理を終了させる。
【００７９】
以上説明したように、本実施形態によれば、焦点距離の変化に伴ってイメージサークルの大きさが変化する光学系を用いることにより、可変焦点の光学系の小型化を図ることが可能である。また、本実施形態では、焦点距離の値とイメージサークルの大きさの値との対応関係を示すデータを交換レンズ１００に記憶させるようにしている。これにより、イメージサークルの大きさが変化しても有効画素領域から画像データを切り出すことが可能である。さらに、切り出した画像データを、焦点距離の値とイメージサークルの大きさの値との対応関係を示すデータに応じて決定される倍率で電子ズーム処理するようにしている。これにより、焦点距離の変化に伴ってイメージサークルの大きさが変化しないように設計された光学系による高倍率ズームを実現しつつ、焦点距離の変化に伴ってイメージサークルの大きさが変化しないように設計された光学系と同等の画質の記録画像や表示画像を生成することが可能である。さらに、超解像処理の性能や撮像素子２０６の高画素化によって電子ズーム処理の性能を向上させることにより、より高画質の記録画像や表示画像を生成することも可能である。
【００８０】
また、本実施形態では、交換レンズ１００の焦点距離の表示の際に、光学系１０２の焦点距離ではなく、総合焦点距離が表示されるようにしている。これにより、ユーザは、焦点距離によってイメージサークルの大きさが変化する交換レンズ（交換レンズ１００）を、焦点距離によってイメージサークルの大きさが変化しない従来の交換レンズと同じ使用感で使用することが可能である。
【００８１】
以上実施形態に基づいて本発明を説明したが、本発明は上述した実施形態に限定されるものではなく、本発明の要旨の範囲内で種々の変形や応用が可能なことは勿論である。例えば、図３の撮影シーケンスでは、一定間隔で行われるレンズ通信の際に焦点距離（ズーム位置）の情報を取得するようにしている。これに対し、ズーム環１０８が操作される毎にレンズ通信を行って焦点距離（ズーム位置）を取得し、焦点距離を取得する毎に画像データの切り出しを行うようにしても良い。
【００８２】
また、光学系１０２の焦点距離の値とイメージサークルの大きさの値との対応関係を交換レンズ１００の設計段階で固定化しておけば、焦点距離の値とイメージサークルの大きさの値との対応付けデータを例えばカメラ本体２００のＲＯＭ２１２に記憶させておくこともできる。この場合、光学系１０２の焦点距離の値とイメージサークルの大きさの値との対応関係が既知の交換レンズ１００がカメラ本体２００に装着された場合に、画像データの切り出しが実行される。
【００８３】
さらに、焦点距離の値とイメージサークルの大きさの値との対応付けデータを例えばカメラ本体２００のＲＯＭ２１２に記憶させる場合には、光学系１０２をカメラ本体２００内に設けた、レンズ一体型の撮像装置に対しても本実施形態の技術を適用することが可能である。この場合の撮像装置は、デジタルカメラである必要はなく、携帯電話機等の各種の携帯端末を含む。
【００８４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００８５】
１００…交換レンズ、１０２…光学系、１０４…レンズ駆動機構、１０６…絞り駆動機構、１０８…ズーム環、１１０…ズーム位置検出部、１１２…表示素子駆動部、１１４…表示素子、１１６…フォーカス環、１１８…フォーカス位置検出部、１２０…レンズ制御部、１２２…レンズマウント接点、２００…カメラ本体、２０２…シャッタ、２０４…シャッタ駆動機構、２０６…撮像素子、２０８…撮像素子インターフェース（ＩＦ）部、２１０…ＲＡＭ、２１２…ＲＯＭ、２１４…表示素子駆動部、２１６…表示素子、２１８…記録メディア、２２０…操作部、２２２…本体制御部、２２４…本体マウント接点、１０２１…撮影レンズ、１０８１…ズーム指標、１１２１…レンズデータ記憶部、１１６１…レンズデータ記憶部、１２０１…レンズデータ記憶部、２２２１…ＣＰＵ、２２２２…ＡＦ制御部、２２２３…ＡＥ制御部、２２２４…画像処理回路、２２２５…メモリ制御回路、２２２６…通信制御部
【図１】
2014219473.tif 000004
【図２】
2014219473.tif 000005
【図３】
2014219473.tif 000006
【図４】
2014219473.tif 000007
【図５】
2014219473.tif 000008
【図６】
2014219473.tif 000009
【図７】
2014219473.tif 000010
【図８】
2014219473.tif 000011
【図９】
2014219473.tif 000012
【図１０】
2014219473.tif 000013